(57)【要約】【課題】  騒音環境下で利用した場合や、耳の不自由な人が利用した場合、利用者が親機からの音を確認することができない。また、システムの通信エラーなどの誤動作によって親機と子機が正確な位置関係にあるか否か検出できない場合があった。【解決手段】  内部空間を有する支持体、支持体に支持された振動板、振動板に取り付けられた磁石を備える。この支持体に支持された振動板に取り付けられた磁石は、外部装置から発せられた電磁波によって上下動可能な様に取り付けられる。【選択図】  図１
2011218328.tif 000002
【特許請求の範囲】
【請求項１】
内部空間を有する支持体、該支持体に支持された振動板、該振動板に取り付けられた磁石を備え、該磁石は、外部装置から発せられた電磁波によって上下動可能な様に該振動板に取り付けられたことを特徴とする振動発生装置。
【請求項２】
内部空間を有する支持体、該支持体に支持された振動板、該振動板に取り付けられたコイルを備え、該コイルは、外部装置から発せられた電磁波によって上下動可能な様に該振動板に取り付けられたことを特徴とする振動発生装置。
【請求項３】
前記振動板と前記磁石の間に圧電体が配置された請求項１に記載の振動発生装置。
【請求項４】
前記振動板と前記コイルの間に圧電体が配置された請求項２に記載の振動発生装置。
【請求項５】
前記支持体に複数の孔が形成された請求項１乃至請求項４のいずれかに記載の振動発生装置。
【請求項６】
請求項１乃至請求項５のいずれかに記載の振動発生装置が用いられた電子機器。
【請求項７】
前記電子機器が移動体通信装置である請求項６に記載の電子機器。
【請求項８】
前記電子機器がゲーム機器である請求項６に記載の電子機器。
【請求項９】
前記電子機器が回転寿司システムである請求項６に記載の電子機器。
【発明の詳細な説明】
【技術分野】
【０００１】
本発明は、各種の電子機器において振動を発生させる装置及びこの装置を用いた電子機器に関するものである。
【背景技術】
【０００２】
近年、ＩＣタグ、無接点充電台等、近接させた状態で情報や電力を伝送する電子機器が普及してきている。この種の電子機器では、親機と子機を対向させて、親機側に設けられた１次側回路と子機側に設けられた２次側回路を電磁気的に結合させることにより、情報や電力を伝送している（例えば、特許文献１を参照。）。
【先行技術文献】
【特許文献】
【０００３】
【特許文献１】特開2002-199598号公報
【発明の概要】
【発明が解決しようとする課題】
【０００４】
この様な電子機器においては、親機と子機間で効率よく情報や電力を伝送するため、親機と子機を互いに対向させた状態で決められた位置関係に正確に配置する必要がある。従来のこの種の電子機器は、親機から子機に向けて信号を送信し、子機から親機に結果を送信することにより、親機と子機間で相互通信を確認し、親機と子機が正確な位置関係にある場合親機から音を発生させて、利用者に親機と子機が正確な位置関係にあることを伝達している。
この様な従来の電子機器は、騒音環境下で利用した場合や、耳の不自由な人が利用した場合、利用者が親機からの音を確認することができないという問題があった。また、子機自体からの直接的な応答ではないため、システムの通信エラーなどの誤動作によって親機と子機が正確な位置関係にあるか否か検出できない場合もあった。
【０００５】
本発明は、利用者が親機と子機が正確な位置関係にあるか否かを確実に確認することができると共に、親機と子機が正確な位置関係にあるか否かを確認するための親機と子機間の相互確認作業を簡略化できる振動発生装置及びこれを用いた電子機器を提供することを目的とする。
【課題を解決するための手段】
【０００６】
本発明の振動発生装置は、内部空間を有する支持体、支持体に支持された振動板、振動板に取り付けられた磁石を備え、磁石が外部装置から発せられた電磁波によって上下動可能な様に振動板に取り付けられる。
また、本発明の振動発生装置は、内部空間を有する支持体、支持体に支持された振動板、振動板に取り付けられたコイルを備え、コイルが外部装置から発せられた電磁波によって上下動可能な様に振動板に取り付けられる。
さらに、本発明の電子機器は、内部空間を有する支持体、支持体に支持された振動板、振動板に取り付けられた磁石を備え、磁石が外部装置から発せられた電磁波によって上下動可能な様に振動板に取り付けられた振動発生装置又は、内部空間を有する支持体、支持体に支持された振動板、振動板に取り付けられたコイルを備え、コイルが外部装置から発せられた電磁波によって上下動可能な様に振動板に取り付けられた振動発生装置が用いられる。
【発明の効果】
【０００７】
本発明の振動発生装置は、内部空間を有する支持体、支持体に支持された振動板、振動板に取り付けられた磁石を備え、磁石が外部装置から発せられた電磁波によって上下動可能な様に振動板に取り付けられるので、利用者が親機と子機が正確な位置関係にあるか否かを確実に確認することができると共に、親機と子機が正確な位置関係あるか否かを確認するための親機と子機間の相互確認作業を簡略化できる。
また、本発明の振動発生装置は、内部空間を有する支持体、支持体に支持された振動板、振動板に取り付けられたコイルを備え、コイルが外部装置から発せられた電磁波によって上下動可能な様に振動板に取り付けられるので、利用者が親機と子機が正確な位置関係にあるか否かを確実に確認することができると共に、親機と子機が正確な位置関係あるか否かを確認するための親機と子機間の相互確認作業を簡略化できる。
さらに、本発明の電子機器は、内部空間を有する支持体、支持体に支持された振動板、振動板に取り付けられた磁石を備え、磁石が外部装置から発せられた電磁波によって上下動可能な様に振動板に取り付けられた振動発生装置又は、内部空間を有する支持体、支持体に支持された振動板、振動板に取り付けられたコイルを備え、コイルが外部装置から発せられた電磁波によって上下動可能な様に振動板に取り付けられた振動発生装置が用いられるので、利用者が親機と子機が正確な位置関係にあるか否かを確実に確認することができると共に、親機と子機が正確な位置関係あるか否かを確認するための親機と子機間の相互確認作業を簡略化できる。
【図面の簡単な説明】
【０００８】
【図１】本発明の振動発生装置の第１の実施例を示す部分断面図である。
【図２】本発明の電子機器の第１の実施例を示す部分断面図である。
【図３】本発明の振動発生装置の第２の実施例を示す部分断面図である。
【図４】本発明の振動発生装置の第３の実施例を示す部分断面図である。
【図５】本発明の振動発生装置の第４の実施例を示す部分断面図である。
【図６】本発明の電子機器の第２の実施例を示す斜視図である。
【図７】本発明の電子機器の第３の実施例を示す斜視図である。
【発明を実施するための形態】
【０００９】
本発明の振動発生装置は、内部空間を有する支持体に振動板が支持され、この振動板には磁石が取り付けられる。磁石は、外部装置から発せられた電磁波によって上下動可能な様に振動板の中央部に取り付けられる。
従って、本発明の振動発生装置は、外部装置から発せられた電磁波によって磁石が上下に移動し、その磁石の上下動が振動板に伝達され、振動及び音が発生する。
【実施例】
【００１０】
以下、本発明の振動発生装置及びこれを用いた電子機器の実施例を図を参照して説明する。
図１は本発明の振動発生装置の第１の実施例を示す部分断面図である。図１において１１Ａは支持体、１２は振動板、１３は磁石である。
支持体１１Ａは、内部に空間を有する様に形成される。この支持体１１Ａの上端部分には、内部空間を覆う様に振動板１２が取り付けられる。
この支持体１１Ａに取り付けられ、支持体１１Ａに支持された振動板１２は、ステンレス等の金属、樹脂性フィルム、コーン紙等で板状に形成される。この振動板１２の裏面には、磁石１３が取り付けられる。
磁石１３は、ネオジム磁石等高い保磁力を有する磁石が用いられ、振動板１２の裏面の中心に位置する様に振動板１２の裏面に接着される。この時、磁石１３は、Ｎ極を下に向けた状態で振動板１２の裏面に配置され、Ｓ極が振動板１２と接着される。これにより、磁石１３は、振動板１２に取り付けられ、振動板１２と支持体１１Ａの内底面間に形成された空間内に収納される。
そして、この様に振動板１２と磁石１３が取り付けられた支持体１１Ａの上端には、蓋１１Ｂが取り付けられる。
この様に形成された振動発生装置は、外部装置から発せられた電磁波に磁石１３が反応し、電磁波に従って振動板１２に取り付けられた磁石１３が支持体１１Ａの内部空間内で上下動する。この磁石１３の上下動により、振動板１２が振動し、これにより振動及び音が発生する。
【００１１】
図２は本発明の電子機器の第１の実施例を示す部分断面図である。
支持体２１Ａは、内部に空間を有する様に形成され、例えば子機の枠体等が用いられる。この支持体２１Ａの上端部分には、内部空間を覆う様に振動板２２が取り付けられる。
この支持体２１Ａに取り付けられ、支持体２１Ａに支持された振動板２２は、裏面に磁石２３が取り付けられる。
磁石２３は、振動板２２の裏面の中心に位置する様に振動板２２の裏面に接着される。この時、磁石２３は、Ｎ極を下に向けた状態で振動板２２の裏面に配置され、Ｓ極が振動板２２と接着される。これにより、磁石２３は、振動板２２に取り付けられ、振動板２２と支持体２１Ａの内底面間に形成された空間内に収納される。
この振動板２２と磁石２３が取り付けられた支持体２１Ａの上端には、蓋２１Ｂが取り付けられる。そして、この様に振動板２２と磁石２３及び蓋２１Ｂが支持体２１Ａに取り付けられることによって支持体２１Ａ内に振動発生装置が形成される。
外部装置２４は例えば親機で構成される。この外部装置２４の内部には、コイル２５が設けられる。コイル２５は、この外部装置２４に支持体２１Ａを対向させた時、巻軸が支持体２１Ａに支持された振動板２２の裏面の中心と一致し、支持体２１Ａに支持された振動板２２に取り付けられた磁石２３が巻軸と同軸上に配置される様に外部装置２４内に設けられる。
そして、振動板２２と磁石２３及び蓋２１Ｂが取り付けられ、振動発生装置が形成された支持体２１Ａと、この外部装置２４とで電子機器が構成される。
この様に形成された電子機器が移動体通信機器である場合、親機（充電器）を構成する外部装置２４側においてコイル２５に１０〜５００００Ｈｚの可聴周波数範囲の信号が入力され、子機（携帯電話等）を親機に対向させた時、電磁誘導によって子機を構成する支持体２１Ａ内の振動板２２に取り付けられた磁石２３が支持体２１Ａの内部空間内で上下動する。この磁石２３の上下動により、振動板２２が１０〜５００００Ｈｚで振動し、これにより子機側で振動及び音が発生する。これにより親機（充電器）と子機（携帯電話等）が正確な位置関係にあるか否かを確実に確認することができる。また、この親機内に設けられた１次側回路と、子機内に設けられた２次側回路が電磁気的に結合し、電力が伝送される。
【００１２】
図３は本発明の振動発生装置の第２の実施例を示す部分断面図である。
支持体３１Ａは、内部に空間を有する様に形成されると共に、底面に貫通孔Ｈが形成される。この支持体３１Ａの上端部分には、内部空間を覆う様に振動板３２が取り付けられる。この支持体３１Ａに取り付けられ、支持体３１Ａに支持された振動板３２は、裏面に磁石３３が取り付けられる。
磁石３３は、振動板３２の裏面の中心に位置する様に振動板３２の裏面に接着される。この時、磁石３３は、Ｎ極を下に向けた状態で振動板３２の裏面に配置され、Ｓ極が振動板３２と接着される。これにより、磁石３３は、振動板３２に取り付けられ、振動板３２と支持体３１Ａの内底面間に形成された空間内に収納される。
この振動板３２と磁石３３が取り付けられた支持体３１Ａの上端には、蓋３１Ｂが取り付けられる。蓋３１Ｂの上面には複数の貫通孔Ｈが形成される。
この様に形成された振動発生装置は、外部装置から発せられた電磁波に磁石３３が反応し、電磁波に従って振動板３２に取り付けられた磁石３３が支持体３１Ａの内部空間内で上下動する。この磁石３３の上下動により、振動板３２が振動し、これにより振動及び音が発生する。
この様な振動発生装置は、支持体３１Ａと蓋３１Ｂに貫通孔Ｈが設けられているので、振動板３２の振動によって発生した音の音質を良くすることができる。
【００１３】
図４は本発明の振動発生装置の第３の実施例を示す部分断面図である。
支持体４１Ａは、内部に空間を有する様に形成され、上端部分に内部空間を覆う様に振動板４２が取り付けられる。この支持体４１Ａに取り付けられ、支持体４１Ａに支持された振動板４２は、裏面に圧電体４６が取り付けられる。
圧電体４６は、圧電セラミック、圧電樹脂、ポリフッ化ビニリデン、水晶等の圧電材料を用いて円板状に形成されたものが用いられ、振動板４２の裏面の中心に位置する様に振動板４２の裏面に接着される。この時、圧電体４６は、圧電体の分極方向におけるマイナス側を上に向けた状態で振動板４２の裏面に配置され、圧電体の分極方向におけるプラス側が振動板４２と接着される。そして、圧電体４６のマイナスとプラスは、全波整流回路を介して電池やキャパシタ等の蓄電手段に接続される。
この圧電体４６の振動板４２が接着された面と反対側の面の中心には、磁石４３が取り付けられる。磁石４３は、Ｎ極を下に向けた状態で圧電体４６に配置され、Ｓ極が圧電体４６と接着される。これにより、磁石４３は、圧電体４６を介して振動板４２に取り付けられ、振動板４２と支持体４１Ａの内底面間に形成された空間内に収納される。
この振動板４２と圧電体４６と磁石４３が取り付けられた支持体４１Ａの上端には、蓋４１Ｂが取り付けられる。
この様に形成された振動発生装置は、外部装置から発せられた電磁波に磁石４３が反応し、電磁波に従って振動板４２に取り付けられた磁石４３が支持体４１Ａの内部空間内で上下動する。この磁石４３の上下動により、振動板４２が振動し、これにより振動及び音が発生する。また、この磁石４３の上下動が圧電体４６に伝達されることにより、圧電体４６に電気が発生し、これが全波整流回路を介して蓄電手段に蓄電される。
この様な振動発生装置は、振動板に取り付けられた圧電体によって発電することができ、振動発生装置内で使用される電力をまかなうことができる。
【００１４】
図５は本発明の振動発生装置の第４の実施例を示す部分断面図である。
支持体５１Ａは、内部に空間を有する様に形成され、上端部分に内部空間を覆う様に振動板５２が取り付けられる。この支持体５１Ａに取り付けられ、支持体５１Ａに支持された振動板５２は、裏面にコイル５７が取り付けられる。
コイル５７は、振動板５２の裏面の中心に位置する様に振動板５２の裏面に接着される。コイル５７の両端は、全波整流回路を介して電池やキャパシタ等の蓄電手段に接続される。これにより、コイル５７は、振動板５２に取り付けられ、振動板５２と支持体５１Ａの内底面間に形成された空間内に収納される。
この振動板４２とコイル５７が取り付けられた支持体５１Ａの上端には、蓋５１Ｂが取り付けられる。
この様に形成された振動発生装置は、外部装置から発せられた電磁波にコイル５７が反応し、電磁波に従って振動板５２に取り付けられたコイル５７が支持体５１Ａの内部空間内で上下動する。このコイル５７の上下動により、振動板５２が振動し、これにより振動及び音が発生する。また、外部装置から発せられた電磁波によってコイル５７に電気が発生し、これが全波整流回路を介して蓄電手段に蓄電される。
この様な振動発生装置は、振動板にコイルが取り付けられているので、振動板に付加される重さを軽減することができ、その分特性を向上させることができる。また、振動板に取り付けられたコイルによって発電することができ、振動発生装置内で使用される電力をまかなうことができる。
【００１５】
図６は本発明の電子機器の第２の実施例を示す斜視図である。
支持体６１は、内部に空間を有する様に形成され、例えば将棋やチェスのコマのケースが用いられる。この支持体の内部空間内に振動板が取り付けられ、振動板の裏面に磁石が取り付けられる。磁石は、Ｎ極を下に向けた状態で振動板の裏面の中心に配置され、Ｓ極が振動板と接着されることにより、振動板と支持体の内底面間に形成された空間内に収納される。この振動板と磁石が取り付けられた支持体の上端には、蓋が取り付けられる。この様にして、振動板と磁石及び蓋が支持体に取り付けられることにより振動発生装置が形成される。
外部装置６４は、例えば将棋板等に設けられたタッチパネルで構成される。この外部装置６４の内部には、コイル６５が設けられる。コイル６５は、この外部装置６４の所定の位置に支持体６１を対向させた時、巻軸が支持体６１に支持された振動板の裏面と一致し、支持体に支持された振動板に取り付けられた磁石が巻軸と同軸上に配置される様に外部装置６４内に設けられる。
そして、振動板と磁石及び蓋が取り付けられ、振動発生装置が形成された支持体６１と、この外部装置６４とで電子機器が構成される。
この様に形成された電子機器が将棋やチェス等のゲーム機器である場合、親機（将棋板等に設けられたタッチパネル）を構成する外部装置６４側においてコイル６５に１０〜５００００Ｈｚの可聴周波数範囲の信号が断続的に入力され、子機（将棋やチェス等のコマ）を親機の所定の位置に配置した時、電磁誘導によって子機を構成する支持体６１内の振動板に取り付けられた磁石が支持体６１の内部空間内で上下動する。この磁石の上下動により、振動板が１０〜５００００Ｈｚで振動し、これにより子機側で断続的に振動及び音が発生する。
【００１６】
図７は本発明の電子機器の第３の実施例を示す斜視図である。
支持体７１は、内部に空間を有する様に形成され、例えば回転寿司の皿が用いられる。この支持体の内部空間内に振動板が取り付けられ、振動板の裏面に磁石が取り付けられる。磁石は、Ｎ極を下に向けた状態で振動板の裏面の中心に配置され、Ｓ極が振動板と接着されることにより、振動板と支持体の内底面間に形成された空間内に収納される。この振動板と磁石が取り付けられた支持体の上端には、蓋が取り付けられる。この様にして、振動板と磁石及び蓋が支持体に取り付けられることにより振動発生装置が形成される。
外部装置７４は、例えば回転寿司の皿を運搬する台車等で構成される。この外部装置７４の内部には、コイル７５が設けられる。コイル７５は、この外部装置７４と支持体７１を対向させた時、巻軸が支持体７１に支持された振動板の裏面と一致し、支持体に支持された振動板に取り付けられた磁石が巻軸と同軸上に配置される様に外部装置７４内に設けられる。
そして、振動板と磁石及び蓋が取り付けられ、振動発生装置が形成された支持体７１と、この外部装置７４とで電子機器が構成される。
この様に形成された電子機器が回転寿司システムである場合、図７（Ａ）に示す様に、親機（回転寿司の皿を運搬する台車等）を構成する外部装置６４が回転寿司システムの所定の位置に到達した時に親機側においてコイル７５に１０〜５００００Ｈｚの可聴周波数範囲の信号が入力され、電磁誘導によってこの親機上に搭載された子機（回転寿司の皿）を構成する支持体７１内の振動板に取り付けられた磁石が支持体７１の内部空間内で上下動する。この磁石の上下動により、振動板が１０〜５００００Ｈｚで振動し、これにより子機側で振動及び音が発生する。そして、図７（Ｂ）に示す様に、子機（回転寿司の皿）を構成する支持体７１を親機（回転寿司の皿を運搬する台車等）を構成する外部装置６４からおろすと、親機側から発せられている電磁波が子機（回転寿司の皿）を構成する支持体７１内の振動板に取り付けられた磁石に届かなくなり、子機側の振動及び音が止む。
【００１７】
以上、本発明の振動発生装置及びこれを用いた電子機器の実施例を述べたが、本発明はこれらの実施例に限られるものではない。例えば、振動発生装置の第２、第３の実施例及び、電子機器の第１乃至第３の実施例において振動板に取り付けられた磁石の代わりにコイルを取り付けてもよい。また、本発明の振動発生装置は、様々な電子機器に適用することができる。
【符号の説明】
【００１８】
１１Ａ  支持体
１２  振動板
１３  磁石
【図１】
2011218328.tif 000003
【図２】
2011218328.tif 000004
【図３】
2011218328.tif 000005
【図４】
2011218328.tif 000006
【図５】
2011218328.tif 000007
【図６】
2011218328.tif 000008
【図７】
2011218328.tif 000009